(57)【要約】【課題】  コンテンツの流通を図りながらコンテンツに係る権利を適正に保護できるようにするためのコンテンツデータ処理システム等を提供することである。【解決手段】  データ処理機器１Ａは、楽曲を表す楽曲データ等のコンテンツデータを取得して、これを変換対象用フォルダ又は非変換対象用フォルダに格納し、その後、変換対象用フォルダに格納した方を、楽曲データプレーヤ２が楽曲を再生可能なデータ形式の楽曲データへと変換する。楽曲データプレーヤ２は、データ処理機器１Ａに接続されているとき、変換対象用フォルダ及び非変換対象用フォルダに属する各データをデータ処理機器１Ａより取得して記憶し、上述のデータ形式を有するものが表す楽曲を再生する。楽曲データプレーヤ２が記憶する各データは、データ処理機器１Ｂによって更に取得されることが可能である。【選択図】        図１
2006228086.tif 000002
【特許請求の範囲】
【請求項１】
互いに接続可能に構成されたコンテンツデータ処理装置及びコンテンツ再生装置とにより構成されており、
前記コンテンツデータ処理装置は、
データをフォルダ構造をとって記憶するものであり、コンテンツを表すコンテンツデータを外部より取得して、当該コンテンツデータを、所定の変換対象用フォルダに属するものとして記憶し、あるいは、前記変換対象用フォルダ以外のフォルダである非変換対象用フォルダに属するものとして記憶する第１の記憶手段と、
前記変換対象用フォルダに属するものとして前記第１の記憶手段に記憶されたコンテンツデータを、前記コンテンツ再生装置がコンテンツを再生可能な所定のデータ形式のコンテンツデータへと変換するデータ変換手段と、を備え、
前記コンテンツ再生装置は、
コンテンツデータを記憶するための第２の記憶手段と、
前記コンテンツ再生装置が前記コンテンツデータ処理装置に接続されているとき、前記変換対象用フォルダ及び前記非変換対象用フォルダに属するものとして前記第１の記憶手段に記憶されている各コンテンツデータを前記第１の記憶手段より取得して、前記第２の記憶手段に記憶させるコンテンツデータ取得手段と、
前記第２の記憶手段に記憶された各コンテンツデータのうち、前記所定のデータ形式を有するものが表すコンテンツを再生するコンテンツ再生手段と、を備える、
ことを特徴とするコンテンツデータ処理システム。
【請求項２】
外部のコンテンツ再生装置に接続可能に構成されており、
データをフォルダ構造をとって記憶するものであり、コンテンツを表すコンテンツデータを外部より取得して、当該コンテンツデータを、所定の変換対象用フォルダに属するものとして記憶し、あるいは、前記変換対象用フォルダ以外のフォルダである非変換対象用フォルダに属するものとして記憶する記憶手段と、
前記変換対象用フォルダに属するものとして前記記憶手段に記憶されたコンテンツデータを、前記外部のコンテンツ再生装置がコンテンツを再生可能な所定のデータ形式のコンテンツデータへと変換するデータ変換手段と、を備える、
ことを特徴とするコンテンツデータ処理装置。
【請求項３】
前記コンテンツデータ処理装置は、前記外部のコンテンツ再生装置が前記コンテンツデータ処理装置に接続されているとき、当該外部のコンテンツ再生装置が記憶している各コンテンツデータを取得して、取得した各コンテンツデータのうち、前記コンテンツ再生装置が再生可能な所定のデータ形式を有さないものを、前記非変換対象用フォルダに属するものとして前記記憶手段に記憶させる手段を更に備える、
ことを特徴とする請求項２に記載のコンテンツデータ処理装置。
【請求項４】
コンテンツデータにはデータ名が付されており、
前記データ変換手段は、前記変換対象用フォルダに属するものとして前記記憶手段に記憶されたコンテンツデータのデータ名を、前記コンテンツ再生装置がコンテンツを再生可能であることを示す所定の規則に合致したデータ名へと変更することにより、当該コンテンツデータのデータ形式を前記所定のデータ形式へと変換するものである、
ことを特徴とする請求項２又は３に記載のコンテンツデータ処理装置。
【請求項５】
コンテンツデータを、所定の変換対象用フォルダ以外のフォルダである非変換対象用フォルダに属するものとして記憶し、当該コンテンツデータを所定のデータ形式のコンテンツデータへと変換したものを、前記変換対象用フォルダに属するものとして記憶している外部のコンテンツデータ処理装置に接続可能に構成されたコンテンツ再生装置であって、
コンテンツデータを記憶するための記憶手段と、
自己が前記コンテンツデータ処理装置に接続されているとき、前記変換対象用フォルダ及び前記非変換対象用フォルダに属するものとして記憶されている各コンテンツデータを前記コンテンツデータ処理装置より取得して、前記記憶手段に記憶させるコンテンツデータ取得手段と、
前記記憶手段に記憶された各コンテンツデータのうち、前記所定のデータ形式を有するものが表すコンテンツを再生するコンテンツ再生手段と、を備える、
ことを特徴とするコンテンツ再生装置。
【請求項６】
互いに接続可能に構成されたコンテンツデータ処理装置及びコンテンツ再生装置とにより構成されたシステムが利用するコンテンツデータが表すコンテンツを処理するコンテンツデータ処理方法であって、
前記コンテンツデータ処理装置は、
コンテンツを表すコンテンツデータを取得して、当該コンテンツデータを、フォルダ構造内における所定の変換対象用フォルダに属するものとして第１の記憶領域に記憶させ、当該コンテンツデータを更に、前記変換対象用フォルダ以外のフォルダである非変換対象用フォルダに属するものとして前記第１の記憶領域に記憶させるコンテンツデータ記憶ステップと、
前記変換対象用フォルダに属するものとして前記第１の記憶手段に記憶されたコンテンツデータを、前記コンテンツ再生装置がコンテンツを再生可能な所定のデータ形式のコンテンツデータへと変換するデータ変換ステップと、を行い、
前記コンテンツ再生装置は、
前記コンテンツ再生装置が前記コンテンツデータ処理装置に接続されているとき、前記変換対象用フォルダ及び前記非変換対象用フォルダに属するものとして前記第１の記憶領域に記憶されている各コンテンツデータを前記第１の記憶領域より取得して、第２の記憶領域に記憶させるコンテンツデータ取得ステップと、
前記第２の記憶領域に記憶された各コンテンツデータのうち、前記所定のデータ形式を有するものが表すコンテンツを再生するコンテンツ再生ステップと、を行う、
ことを特徴とするコンテンツデータ処理方法。
【請求項７】
外部のコンテンツ再生装置に接続可能に構成されたコンテンツデータ処理装置がコンテンツデータを処理するためのコンテンツデータ処理方法であって、
コンテンツを表すコンテンツデータを取得して、当該コンテンツデータを、所定の変換対象用フォルダに属するものとしてメモリに記憶させ、当該コンテンツデータを更に、前記変換対象用フォルダ以外のフォルダである非変換対象用フォルダに属するものとして当該メモリに記憶させるコンテンツデータ記憶ステップと、
前記変換対象用フォルダに属するものとして前記メモリに記憶されたコンテンツデータを、外部のコンテンツ再生装置がコンテンツを再生可能な所定のデータ形式のコンテンツデータへと変換するデータ変換ステップと、より構成されており、
前記外部のコンテンツ再生装置は、当該外部のコンテンツ再生装置が前記コンテンツデータ処理装置に接続されているとき、前記変換対象用フォルダ及び前記非変換対象用フォルダに属するものとして前記メモリに記憶されている各コンテンツデータを前記メモリより取得するものである、
ことを特徴とするコンテンツデータ処理方法。
【請求項８】
コンテンツデータを、所定の変換対象用フォルダ以外のフォルダである非変換対象用フォルダに属するものとして記憶し、当該コンテンツデータを所定のデータ形式のコンテンツデータへと変換したものを、前記変換対象用フォルダに属するものとして記憶している外部のコンテンツデータ処理装置に接続可能に構成されたコンテンツ再生装置が、コンテンツデータの表すコンテンツを再生するためのコンテンツ再生方法であって、
前記コンテンツ再生装置が前記コンテンツデータ処理装置に接続されているとき、前記変換対象用フォルダ及び前記非変換対象用フォルダに属するものとして記憶されている各コンテンツデータを前記コンテンツデータ処理装置より取得してメモリに記憶させるコンテンツデータ取得ステップと、
前記メモリに記憶された各コンテンツデータのうち、前記所定のデータ形式を有するものが表すコンテンツを再生するコンテンツ再生ステップと、より構成される、
ことを特徴とするコンテンツ再生方法。
【請求項９】
外部のコンテンツ再生装置に接続可能なコンピュータを、
データをフォルダ構造をとって記憶する記憶手段と、
コンテンツを表すコンテンツデータを取得して、当該コンテンツデータを、所定の変換対象用フォルダに属するものとして前記第記憶手段に記憶させ、当該コンテンツデータを更に、前記変換対象用フォルダ以外のフォルダである非変換対象用フォルダに属するものとして前記記憶手段に記憶させる記憶手段と、
前記変換対象用フォルダに属するものとして前記記憶手段に記憶されたコンテンツデータを、前記外部のコンテンツ再生装置がコンテンツを再生可能な所定のデータ形式のコンテンツデータへと変換するデータ変換手段と、
して機能させるためのプログラム。
【請求項１０】
コンテンツデータを、所定の変換対象用フォルダ以外のフォルダである非変換対象用フォルダに属するものとして記憶し、当該コンテンツデータを所定のデータ形式のコンテンツデータへと変換したものを、前記変換対象用フォルダに属するものとして記憶している外部のコンテンツデータ処理装置に接続可能なコンピュータを、
コンテンツデータを記憶するための記憶手段と、
自己が前記コンテンツデータ処理装置に接続されているとき、前記変換対象用フォルダ及び前記非変換対象用フォルダに属するものとして記憶されている各コンテンツデータを前記コンテンツデータ処理装置より取得して、前記記憶手段に記憶させるコンテンツデータ取得手段と、
前記記憶手段に記憶された各コンテンツデータのうち、前記所定のデータ形式を有するものが表すコンテンツを再生するコンテンツ再生手段と、
して機能させるためのプログラム。
【発明の詳細な説明】
【技術分野】
【０００１】
本発明は、コンテンツデータ処理システム、コンテンツデータ処理装置、コンテンツ再生装置、コンテンツデータ処理方法、コンテンツ再生方法及びプログラムに関する。
【背景技術】
【０００２】
近年、音楽や映像などのコンテンツを表すデータを、コンピュータやポータブルオーディオプレーヤ等の複数の機器間で転送し合って利用するという利用形態が普及している（特許文献１参照）。
このような利用形態では、データは、一般的なオペレーティングシステム（ＯＳ）を実行するコンピュータによるコンテンツの解読や再生が可能であるような一般的なデータ形式をとって転送される場合もあり、一方、特定機種のオーディオプレーヤ等のみがコンテンツの解読、再生を行えるような特殊なデータ形式をとって転送される場合もある。
【特許文献１】特開２００２−１５０８９号公報
【発明の開示】
【発明が解決しようとする課題】
【０００３】
しかし、上述の一般的なデータ形式をとって転送される場合は、転送されたデータが表すコンテンツは一般的な装置により容易に再生されることとなってしまい、コンテンツに係る著作権等の権利を適切に保護することができない。一方、上述の特殊なデータ形式をとって転送される場合は、この特殊なデータ形式のデータからコンテンツの解読や再生が可能である特殊な装置のみがコンテンツを再生できることとなり、一般文書データ等、著作権を考慮する必要のないデータの流通が阻害される。
【０００４】
本発明は、上記実情に鑑みてなされたもので、著作権を考慮する必要のないデータのコンテンツの流通を図りながら必要に応じてコンテンツに係る権利を適正に保護できるようにするためのコンテンツデータ処理システム、コンテンツデータ処理装置、コンテンツ再生装置、コンテンツデータ処理方法、コンテンツ再生方法及びプログラムを提供することを目的とする。
【課題を解決するための手段】
【０００５】
上記目的を達成するため、この発明の第１の観点に係るコンテンツデータ処理システムは、
互いに接続可能に構成されたコンテンツデータ処理装置及びコンテンツ再生装置とにより構成されており、
前記コンテンツデータ処理装置は、
データをフォルダ構造をとって記憶するものであり、コンテンツを表すコンテンツデータを外部より取得して、当該コンテンツデータを、所定の変換対象用フォルダに属するものとして記憶し、あるいは、前記変換対象用フォルダ以外のフォルダである非変換対象用フォルダに属するものとして記憶する第１の記憶手段と、
前記変換対象用フォルダに属するものとして前記第１の記憶手段に記憶されたコンテンツデータを、前記コンテンツ再生装置がコンテンツを再生可能な所定のデータ形式のコンテンツデータへと変換するデータ変換手段と、を備え、
前記コンテンツ再生装置は、
コンテンツデータを記憶するための第２の記憶手段と、
前記コンテンツ再生装置が前記コンテンツデータ処理装置に接続されているとき、前記変換対象用フォルダ及び前記非変換対象用フォルダに属するものとして前記第１の記憶手段に記憶されている各コンテンツデータを前記第１の記憶手段より取得して、前記第２の記憶手段に記憶させるコンテンツデータ取得手段と、
前記第２の記憶手段に記憶された各コンテンツデータのうち、前記所定のデータ形式を有するものが表すコンテンツを再生するコンテンツ再生手段と、を備える、
ことを特徴とする。
【０００６】
また、この発明の第２の観点に係るコンテンツデータ処理装置は、
外部のコンテンツ再生装置に接続可能に構成されており、
データをフォルダ構造をとって記憶するものであり、コンテンツを表すコンテンツデータを外部より取得して、当該コンテンツデータを、所定の変換対象用フォルダに属するものとして記憶し、あるいは、前記変換対象用フォルダ以外のフォルダである非変換対象用フォルダに属するものとして記憶する記憶手段と、
前記変換対象用フォルダに属するものとして前記記憶手段に記憶されたコンテンツデータを、前記外部のコンテンツ再生装置がコンテンツを再生可能な所定のデータ形式のコンテンツデータへと変換するデータ変換手段と、を備える、
ことを特徴とする。
【０００７】
前記コンテンツデータ処理装置は、前記外部のコンテンツ再生装置が前記コンテンツデータ処理装置に接続されているとき、当該外部のコンテンツ再生装置が記憶している各コンテンツデータを取得して、取得した各コンテンツデータのうち、前記コンテンツ再生装置が再生可能な所定のデータ形式を有さないものを、前記非変換対象用フォルダに属するものとして前記記憶手段に記憶させる手段を更に備えるものであってもよい。
【０００８】
コンテンツデータにはデータ名が付されていてもよく、この場合、前記データ変換手段は、前記変換対象用フォルダに属するものとして前記記憶手段に記憶されたコンテンツデータのデータ名を、前記コンテンツ再生装置がコンテンツを再生可能であることを示す所定の規則に合致したデータ名へと変更することにより、当該コンテンツデータのデータ形式を前記所定のデータ形式へと変換するものであってもよい。
【０００９】
また、この発明の第３の観点に係るコンテンツ再生装置は、
コンテンツデータを、所定の変換対象用フォルダ以外のフォルダである非変換対象用フォルダに属するものとして記憶し、当該コンテンツデータを所定のデータ形式のコンテンツデータへと変換したものを、前記変換対象用フォルダに属するものとして記憶している外部のコンテンツデータ処理装置に接続可能に構成されたコンテンツ再生装置であって、
コンテンツデータを記憶するための記憶手段と、
自己が前記コンテンツデータ処理装置に接続されているとき、前記変換対象用フォルダ及び前記非変換対象用フォルダに属するものとして記憶されている各コンテンツデータを前記コンテンツデータ処理装置より取得して、前記記憶手段に記憶させるコンテンツデータ取得手段と、
前記記憶手段に記憶された各コンテンツデータのうち、前記所定のデータ形式を有するものが表すコンテンツを再生するコンテンツ再生手段と、を備える、
ことを特徴とする。
【００１０】
また、この発明の第４の観点に係るコンテンツデータ処理方法は、
互いに接続可能に構成されたコンテンツデータ処理装置及びコンテンツ再生装置とにより構成されたシステムが利用するコンテンツデータが表すコンテンツを処理するコンテンツデータ処理方法であって、
前記コンテンツデータ処理装置は、
コンテンツを表すコンテンツデータを取得して、当該コンテンツデータを、フォルダ構造内における所定の変換対象用フォルダに属するものとして第１の記憶領域に記憶させ、当該コンテンツデータを更に、前記変換対象用フォルダ以外のフォルダである非変換対象用フォルダに属するものとして前記第１の記憶領域に記憶させるコンテンツデータ記憶ステップと、
前記変換対象用フォルダに属するものとして前記第１の記憶手段に記憶されたコンテンツデータを、前記コンテンツ再生装置がコンテンツを再生可能な所定のデータ形式のコンテンツデータへと変換するデータ変換ステップと、を行い、
前記コンテンツ再生装置は、
前記コンテンツ再生装置が前記コンテンツデータ処理装置に接続されているとき、前記変換対象用フォルダ及び前記非変換対象用フォルダに属するものとして前記第１の記憶領域に記憶されている各コンテンツデータを前記第１の記憶領域より取得して、第２の記憶領域に記憶させるコンテンツデータ取得ステップと、
前記第２の記憶領域に記憶された各コンテンツデータのうち、前記所定のデータ形式を有するものが表すコンテンツを再生するコンテンツ再生ステップと、を行う、
ことを特徴とする。
【００１１】
また、この発明の第５の観点に係るコンテンツデータ処理方法は、
外部のコンテンツ再生装置に接続可能に構成されたコンテンツデータ処理装置がコンテンツデータを処理するためのコンテンツデータ処理方法であって、
コンテンツを表すコンテンツデータを取得して、当該コンテンツデータを、所定の変換対象用フォルダに属するものとしてメモリに記憶させ、当該コンテンツデータを更に、前記変換対象用フォルダ以外のフォルダである非変換対象用フォルダに属するものとして当該メモリに記憶させるコンテンツデータ記憶ステップと、
前記変換対象用フォルダに属するものとして前記メモリに記憶されたコンテンツデータを、外部のコンテンツ再生装置がコンテンツを再生可能な所定のデータ形式のコンテンツデータへと変換するデータ変換ステップと、より構成されており、
前記外部のコンテンツ再生装置は、当該外部のコンテンツ再生装置が前記コンテンツデータ処理装置に接続されているとき、前記変換対象用フォルダ及び前記非変換対象用フォルダに属するものとして前記メモリに記憶されている各コンテンツデータを前記メモリより取得するものである、
ことを特徴とする。
【００１２】
また、この発明の第６の観点に係るコンテンツ再生方法は、
コンテンツデータを、所定の変換対象用フォルダ以外のフォルダである非変換対象用フォルダに属するものとして記憶し、当該コンテンツデータを所定のデータ形式のコンテンツデータへと変換したものを、前記変換対象用フォルダに属するものとして記憶している外部のコンテンツデータ処理装置に接続可能に構成されたコンテンツ再生装置が、コンテンツデータの表すコンテンツを再生するためのコンテンツ再生方法であって、
前記コンテンツ再生装置が前記コンテンツデータ処理装置に接続されているとき、前記変換対象用フォルダ及び前記非変換対象用フォルダに属するものとして記憶されている各コンテンツデータを前記コンテンツデータ処理装置より取得してメモリに記憶させるコンテンツデータ取得ステップと、
前記メモリに記憶された各コンテンツデータのうち、前記所定のデータ形式を有するものが表すコンテンツを再生するコンテンツ再生ステップと、より構成される、
ことを特徴とする。
【００１３】
また、この発明の第７の観点に係るプログラムは、
外部のコンテンツ再生装置に接続可能なコンピュータを、
データをフォルダ構造をとって記憶する記憶手段と、
コンテンツを表すコンテンツデータを取得して、当該コンテンツデータを、所定の変換対象用フォルダに属するものとして前記第記憶手段に記憶させ、当該コンテンツデータを更に、前記変換対象用フォルダ以外のフォルダである非変換対象用フォルダに属するものとして前記記憶手段に記憶させる記憶手段と、
前記変換対象用フォルダに属するものとして前記記憶手段に記憶されたコンテンツデータを、前記外部のコンテンツ再生装置がコンテンツを再生可能な所定のデータ形式のコンテンツデータへと変換するデータ変換手段と、
して機能させるためのものであることを特徴とする。
【００１４】
また、この発明の第８の観点に係るプログラムは、
コンテンツデータを、所定の変換対象用フォルダ以外のフォルダである非変換対象用フォルダに属するものとして記憶し、当該コンテンツデータを所定のデータ形式のコンテンツデータへと変換したものを、前記変換対象用フォルダに属するものとして記憶している外部のコンテンツデータ処理装置に接続可能なコンピュータを、
コンテンツデータを記憶するための記憶手段と、
自己が前記コンテンツデータ処理装置に接続されているとき、前記変換対象用フォルダ及び前記非変換対象用フォルダに属するものとして記憶されている各コンテンツデータを前記コンテンツデータ処理装置より取得して、前記記憶手段に記憶させるコンテンツデータ取得手段と、
前記記憶手段に記憶された各コンテンツデータのうち、前記所定のデータ形式を有するものが表すコンテンツを再生するコンテンツ再生手段と、
して機能させるためのものであることを特徴とする。
【発明の効果】
【００１５】
本発明によれば、著作権を考慮する必要のないデータのコンテンツの流通を図りながら必要に応じてコンテンツに係る権利を適正に保護できるようにするためのコンテンツデータ処理システム、コンテンツデータ処理装置、コンテンツ再生装置、コンテンツデータ処理方法、コンテンツ再生方法及びプログラムが実現される。
【発明を実施するための最良の形態】
【００１６】
以下、本発明の実施の形態を、楽曲データ転送システムを例とし、図面を参照して説明する。
図１は、この楽曲データ転送システムの構成を示す図である。図示するように、この楽曲データ転送システムは、データ処理機器１Ａ及び１Ｂと、楽曲データプレーヤ２とにより構成されている。楽曲データプレーヤ２は、データ処理機器１Ａ及び１Ｂに着脱可能に接続される。
【００１７】
データ処理機器１Ａ及び１Ｂは互いに実質的に同一の構成を有しており、それぞれ、例えばパーソナルコンピュータより構成されている。
以下、データ処理機器１Ａの構成を具体的に説明すると、データ処理機器１Ａは、制御部と、記憶部と、操作入力部と、映像出力部と、データ入出力部とを備えている。データ処理機器１Ａの記憶部及びデータ入出力部は、データ処理機器１Ａの制御部に接続されている。
【００１８】
データ処理機器１Ａの制御部は、例えばＣＰＵ（Central Processing Unit）等のプロセッサより構成されており、データ処理機器１Ａの記憶部が記憶する各プログラムを実行することにより、後述の処理を行う。
【００１９】
データ処理機器１Ａの記憶部が記憶するプログラムとしては、例えば、オペレーティングシステム（ＯＳ）、ファイルブラウザ、フォルダ制御プログラム及び楽曲データ変換プログラムがある。
【００２０】
ＯＳは、例えばマイクロソフト社のウィンドウズ（登録商標）などからなっており、データ処理機器１Ａが実行するデータの記憶や入出力の手法ないし手順を定義し、当該ＯＳを実行するデータ処理機器の動作を、当該定義に従って制御する。
ＯＳは、データ処理機器１Ａの制御部が、データ処理機器１Ａの記憶部にデータを記憶させる処理を行う際、当該データを、所定のファイルシステムに従い、階層構造であるフォルダ構造をとって記憶するよう制御する。具体的には、各データが、階層のノードであるフォルダのいずれかに所属するものとして、所属するフォルダを示す情報（具体的には、例えばパス名など）を付して記憶されるよう制御する。フォルダを示す情報は、当該フォルダ自身が所属する上位の各フォルダを示す情報を含むものとする。これら上位の各フォルダを示す情報は、これら各フォルダ相互の上下関係が特定される態様（例えば、最上位から順に、所定の区切り記号を挟んで並んでいる形、等）となっているものとする。
【００２１】
ファイルブラウザは、例えばマイクロソフト社のエクスプローラ（登録商標）などからなっており、ＯＳの制御の下で、データ処理機器１Ａの制御部により実行される。
ファイルブラウザは、データ処理機器１Ａの記憶部（及びその他データ処理機器１Ａの制御部がアクセス可能な外部の記憶装置）のフォルダ構造を示す画像をデータ処理機器１Ａの映像出力部に表示させる処理や、フォルダの新規作成、削除、名称変更、階層の変更等を行う処理を制御する。
【００２２】
フォルダ制御プログラムは、ＯＳの制御の下で、データ処理機器１Ａの制御部により実行される。フォルダ制御プログラムは、データ処理機器１Ａの制御部が後述の変換対象フォルダ及び非変換対象フォルダ（データフォルダ）を作成するために行う後述の処理を制御する。
【００２３】
楽曲データ変換プログラムは、例えばファイルブラウザのプラグイン等として機能するプログラムであり、ＯＳ及びファイルブラウザの制御の下で、データ処理機器１Ａの制御部により実行される。楽曲データ変換プログラムは、データ処理機器１Ａの制御部が楽曲データを変換するために行う後述の処理を制御する。
【００２４】
データ処理機器１Ａの記憶部は、ＲＡＭ（Random Access Memory）等の揮発性メモリや、ハードディスク装置等の不揮発性メモリより構成されており、データ処理機器１Ａの制御部が実行する上述の各プログラムを予め記憶していて、また、当該制御部のワークエリアとなる記憶領域を提供する。
【００２５】
また、データ処理機器１Ａの記憶部を構成する不揮発性メモリは、後述の楽曲データ及び／又はその他の任意のデータ（ファイル）を予め記憶し、あるいはデータ処理機器１Ａの制御部が行う処理に従って新たに記憶する。そして、当該制御部のアクセスに従ってこのデータを読み出し、当該制御部に供給する。
【００２６】
データ処理機器１Ａの記憶部は、各データを、データ処理機器１Ａの制御部が実行する上述のＯＳにより定義されるファイルシステムに従い、階層構造であるフォルダ構造をとって記憶する。具体的には、各データは、階層のノードであるフォルダのいずれかに所属するものとして、所属するフォルダを示す情報（具体的には、例えばパス名など）を付して記憶される。フォルダを示す情報は、当該フォルダ自身が所属する上位の各フォルダを示す情報を含んでいる。これら上位の各フォルダを示す情報は、これら各フォルダ相互の上下関係が特定される態様（例えば、最上位から順に、所定の区切り記号を挟んで並んでいる形、等）となっている。
【００２７】
また、データ処理機器１Ａの記憶部が記憶するそれぞれのデータにはファイル名が付されている。ファイル名は、例えば上述のパス名の一部をなすものとして付されていればよい。それぞれのデータに付されたファイル名は、当該データの属性を示す部分である拡張子を含んでいる。
【００２８】
楽曲データは、楽曲又はその他の音声を表すデータである。楽曲データのデータ形式は任意であり、例えばＰＣＭ（Pulse Code Modulation）形式、ＭＰ３（MPEG 1 audio layer 3）形式、ＷＡＶ形式あるいはＡＡＣ（Advanced Audio Coding）形式などの音声データからなっていればよい。
【００２９】
楽曲データのファイル名のうち、拡張子を除いた部分は、例えば、当該楽曲データが表す楽曲の名称を示すものとする。また、楽曲データの拡張子は、（ａ）当該拡張子を含むデータが、楽曲データプレーヤ２が楽曲データとして識別でき（従って、当該楽曲データが表すコンテンツを解読等でき）、且つ、データ処理機器１Ａ又は１Ｂには楽曲データとしての識別若しくは楽曲の再生ができなくなるような拡張子であるか、又は、（ｂ）当該拡張子を含むデータが、データ処理機器１Ａ及び１Ｂが楽曲データとして識別でき、且つ、楽曲データプレーヤ２には楽曲データとして識別できなくなるような拡張子であるものとする。
【００３０】
データ処理機器１Ａの操作入力部は、例えばキーボードやマウスあるいはタッチセンサーキー等より構成されており、操作者の操作に従ったデータを、データ処理機器１Ａの制御部に供給する。
【００３１】
データ処理機器１Ａの映像出力部は、例えば液晶ディスプレイ等の表示装置より構成されており、データ処理機器１Ａの制御部が供給する指示に従った文字や画像を、自己の表示画面上に表示する。
【００３２】
データ処理機器１Ａのデータ入出力部は、例えばＵＳＢ（Universal Serial Bus）インターフェース回路あるいはＩＥＥＥ１３９４インターフェース回路等より構成されており、楽曲データプレーヤ２がデータ処理機器１Ａに接続された状態において、データ処理機器１Ａの制御部が楽曲データプレーヤ２との間で行うデータの伝送を媒介する。
【００３３】
楽曲データプレーヤ２は、例えばポータブルオーディオプレーヤー若しくはカーオーディオ機器として構成されており、制御部と、記憶部と、操作入力部と、コンテンツ出力部と、データ入出力部とを備えている。楽曲データプレーヤ２の記憶部、操作入力部、コンテンツ出力部及びデータ入出力部は、楽曲データプレーヤ２の制御部に接続されている。
【００３４】
楽曲データプレーヤ２の制御部は、例えばＣＰＵ等のプロセッサより構成されており、楽曲データプレーヤ２の記憶部が記憶するプログラムを実行することにより、後述の処理を行う。
【００３５】
楽曲データプレーヤ２の記憶部は、ＲＡＭ等の揮発性メモリや、ハードディスク装置等の不揮発性メモリより構成されており、楽曲データプレーヤ２の制御部が実行する上述のプログラムを予め記憶しており、また、当該制御部のワークエリアとなる記憶領域を提供する。また、当該記憶部は、当該制御部が行う後述の処理に従って、楽曲データを記憶する。
【００３６】
楽曲データプレーヤ２の操作入力部は、例えばキーボードやマウスあるいはタッチセンサーキー等より構成されており、操作者の操作に従ったデータを、楽曲データプレーヤ２の制御部に供給する。
【００３７】
楽曲データプレーヤ２のコンテンツ出力部は、例えば液晶ディスプレイ等の表示装置、及び音声の再生を行うためのＤ／Ａ変換器やＡＦ増幅器、スピーカ等より構成されており、楽曲データプレーヤ２の制御部が供給する指示に従った文字や画像を表示画面上に表示し、また、当該制御部が供給する楽曲データが表す楽曲を再生する（すなわち、楽曲を音声の形で出力する）。
【００３８】
楽曲データプレーヤ２のデータ入出力部は、例えばデータ処理機器１Ａのデータ入出力部と互換性のあるインターフェース回路等より構成されており、楽曲データプレーヤ２がデータ処理機器１Ａに接続された状態において、楽曲データプレーヤ２の制御部がデータ処理機器１Ａとの間で行うデータの伝送を媒介する。
【００３９】
次に、この楽曲データ転送システムの動作を、図２〜図４を参照して説明する。
図２は、楽曲データの変換の処理の手順を示すフローチャートである。
図３は、楽曲データプレーヤへのコンテンツデータの転送及び楽曲の再生の処理の手順を示すフローチャートである。
図４は、データ処理機器へのコンテンツデータの転送の処理の手順を示すフローチャートである。
【００４０】
（楽曲データの変換）
データ処理機器１Ａの制御部は、データ処理機器１Ａの起動後まず、データ処理機器１Ａの記憶部よりＯＳを読み込んで実行する。そして、ＯＳの実行中、ユーザが楽曲データプレーヤ２をデータ処理機器１Ａに接続すると、接続されたことを検出して、データ処理機器１Ａの記憶部よりファイルブラウザ、フォルダ制御プログラム及びデータ変換プログラムを読み込んで実行する（図２、ステップＳ１１）。
【００４１】
ファイルブラウザ、フォルダ制御プログラム及びデータ変換プログラムの処理を開始すると、データ処理機器１Ａの制御部はまず、楽曲データプレーヤ２による楽曲の再生の対象である楽曲データ（変換対象の楽曲データ）を格納するためのフォルダである変換対象フォルダ、及び、楽曲データプレーヤ２による楽曲の再生の対象ではない楽曲データを格納するためのフォルダである非変換対象フォルダを、フォルダ制御プログラムの制御に従って作成し（ステップＳ１２）（すなわち、変換対象フォルダ及び非変換対象フォルダを表すデータを作成してデータ処理機器１Ａの記憶部に記憶させ）、処理をステップＳ１３に移す。
【００４２】
ステップＳ１３で、データ処理機器１Ａの制御部は、ユーザによるデータ処理機器１Ａの操作入力部への操作に従って、外部より（あるいは、データ処理機器１Ａの記憶部が、コンテンツを表すコンテンツデータ（楽曲データを含む）を予め記憶している場合は、データ処理機器１Ａの制御部より）変換対象の楽曲データやその他のコンテンツデータを取得する。そして、データ処理機器１Ａの操作入力部を操作して行う指示に従い、取得した変換対象の楽曲データを、変換対象フォルダに格納し（つまり、変換対象フォルダに属するものとしてデータ処理機器１Ａの記憶部に記憶させ）、変換対象ではないコンテンツデータを、非変換対象フォルダに格納する。
【００４３】
ステップＳ１３でデータ処理機器１Ａの制御部がコンテンツデータを取得する手法は任意であり、例えば、操作者が、データ処理機器１Ａのデータ入出力部を、コンテンツデータを配信する外部の装置にケーブル等を介して接続し、この装置から、当該データ入出力部を介して取得してもよい。
あるいは、データ処理機器１Ａのデータ入出力部が、インターネット等のネットワークに接続されるモデム等を備えるものとし、コンテンツデータを配信する外部のサーバ等から、当該ネットワーク及び当該データ入出力部を介して取得してもよい。
【００４４】
なお、ステップＳ１３で取得された楽曲データの拡張子は、当該拡張子を含むデータが、データ処理機器１Ａ又は１Ｂが楽曲データとして識別でき、且つ、楽曲データプレーヤ２には楽曲データとして識別できないような拡張子、すなわち上述の（ｂ）の条件に合致する拡張子であるものとする。
【００４５】
次に、データ処理機器１Ａの制御部は、ステップＳ１３で取得した変換対象の楽曲データのうち、変換対象用フォルダに属するものとして記憶させた楽曲データについて、その拡張子を変更する（ステップＳ１４）。
ステップＳ１４で変更された後の拡張子は、当該拡張子を含むデータが、楽曲データプレーヤ２が楽曲データとして識別でき、且つ、データ処理機器１Ａ又は１Ｂには楽曲データとして識別できなくなる（若しくは識別できても再生できなくなる）ような拡張子、すなわち上述の（ａ）の条件に合致する拡張子であるものとする。
【００４６】
（楽曲データプレーヤへのコンテンツデータの転送及び楽曲の再生）
楽曲データプレーヤ２の制御部は、楽曲データプレーヤ２の起動後まず、楽曲データプレーヤ２の記憶部より上述のプログラムを読み込んで実行する（図３、ステップＳ２１）。なお、楽曲データプレーヤ２のデータ入出力部は、楽曲データプレーヤ２の起動前又は起動後に、ケーブル等を介してデータ処理機器１Ａのデータ入出力部に接続されるものとする。
【００４７】
そして、当該プログラムの実行中、ユーザが、楽曲データプレーヤ２の操作入力部を操作して、楽曲データの取得を指示すると（ステップＳ２２）、楽曲データプレーヤ２の制御部はこの指示に応答し、楽曲データプレーヤ２及びデータ処理機器１Ａの各データ入出力部（並びにデータ処理機器１Ａの制御部）を介して、データ処理機器１Ａの記憶部にアクセスする。そして、データ処理機器１Ａの記憶部が記憶するデータのうち、変換対象フォルダ及び非変換対象フォルダに属するものとして記憶されているデータを読み出して、楽曲データプレーヤ２の記憶部に記憶させる（ステップＳ２３）。
【００４８】
ステップＳ２３の処理を経て、データが楽曲データプレーヤ２の記憶部に記憶された状態で、ユーザが楽曲データプレーヤ２の操作入力部を操作して、楽曲を指定し、当該楽曲の再生を指示すると（ステップＳ２４）、楽曲データプレーヤ２の制御部はこの指示に応答し、楽曲データプレーヤ２の記憶部が記憶するデータのうち、当該楽曲を示すファイル名を有し上述の（ａ）の条件に合致する拡張子を有する楽曲データを検索し（ステップＳ２５）、索出された楽曲データがあれば、該当する楽曲データを、楽曲データプレーヤ２のコンテンツ出力部に供給する。当該コンテンツ出力部は、当該楽曲データが表す楽曲を再生する（ステップＳ２６）。
【００４９】
（データ処理機器へのコンテンツデータの転送）
データ処理機器１Ｂの制御部は、データ処理機器１Ｂの起動後、上述のステップＳ１１におけるデータ処理機器１Ａの制御部の動作と同様に、まずＯＳを実行し、更にデータ処理機器１Ｂのデータ入出力部にケーブル等を介して楽曲データプレーヤ２が接続されると、接続されたことを検出して、ファイルブラウザ、フォルダ制御プログラム及びデータ変換プログラムを読み込み実行する（図４、ステップＳ３１）。また、変換対象用フォルダ及び非変換対象フォルダが存在しなければ、ステップＳ３１でデータ処理機器１Ｂの制御部は、これらのフォルダの作成も行う。
【００５０】
そして、ユーザが、データ処理機器１Ｂの操作入力部を操作して、コンテンツデータの取得を指示すると（ステップＳ３２）、データ処理機器１Ｂの制御部はこの指示に応答し、データ処理機器１Ｂ及び楽曲データプレーヤ２の各データ入出力部（並びに楽曲データプレーヤ２の制御部）を介して、楽曲データプレーヤ２の記憶部にアクセスする。そして、楽曲データプレーヤ２の記憶部が記憶するコンテンツデータを読み出して、データ処理機器１Ｂの記憶部に記憶させる（ステップＳ３３）。ただし、ステップＳ３３でデータ処理機器１Ｂの制御部は、読み出したコンテンツデータのうち、上述の（ｂ）の条件に合致するコンテンツデータは、非変換対象フォルダに属するものとして記憶させ、その他のデータ（すなわち、上述の（ａ）の条件に合致する楽曲データ）は、変換対象フォルダに属するものとして記憶させるものとする。
【００５１】
以上説明した動作を行うことにより、この楽曲データ転送システムのデータ処理機器１Ａは、変換対象フォルダに格納された楽曲データを、楽曲データプレーヤ２が楽曲データとして認識でき、且つ、データ処理機器１Ａ又は１Ｂが楽曲データとして認識できない（若しくは認識できても再生できない）ような形に変換する。そして、楽曲データプレーヤ２は、変換後の楽曲データ及び変換の対象とされなかったコンテンツデータを取得して、変換後の楽曲データを用いて楽曲を再生する。つまり、変換の対象とされなかったコンテンツデータは、楽曲データプレーヤ２による楽曲の再生の対象にならない。更に、楽曲データプレーヤ２が記憶するコンテンツデータは、データ処理機器１Ｂによって取得され得る。
従って、楽曲データプレーヤ２で再生可能な形式にコンテンツデータを変換することによって楽曲データプレーヤ２での再生を可能とすると共に、楽曲データプレーヤ２で再生可能な形式を他のデータ処理機器によっては楽曲データとは認識されないようにしたので、楽曲データが表す楽曲の無制限な流出を防ぐことができる。また、変換の対象とされなかったコンテンツデータについては、楽曲データプレーヤ２での再生を許可しないこととし、一方、データ形式の変換を行わないので、著作権の問題が生じない一般文書データなどが表すコンテンツの流通を可能にしている。
つまり、本発明のデータ処理機器及び楽曲データプレーヤによれば、楽曲データプレーヤで再生する楽曲には著作権に配慮して楽曲の無制限な流出を防止し、楽曲データプレーヤでの再生を行わないコンテンツデータについてはデータ形式の変換を行わないことによって、コンテンツを閲覧可能な形でのコンテンツデータの流通性を確保することができる。
【００５２】
なお、この楽曲データ転送システムの構成は上述のものに限られない。
例えば、この楽曲データ転送システムは、楽曲データのみならず、映像あるいはその他任意のコンテンツを表すコンテンツデータを、楽曲データと同様に扱ってよい。この場合、楽曲データプレーヤ２のコンテンツ出力部は、データ処理機器１Ａより取得するコンテンツデータが表すコンテンツを再生するための装置（例えば、コンテンツデータが動画を表すデータであれば、動画を再生可能な表示装置）を備えていればよい。
また、データ処理機器１Ａがデータ処理機器１Ｂの機能を行ってもよく、データ処理機器１Ｂがデータ処理機器１Ａの機能を行ってもよく、更に、データ処理機器や楽曲データプレーヤを複数備えていてもよい。
【００５３】
また、データ処理機器１Ａの制御部が楽曲データ及び／又はコンテンツデータを取得するタイミングは、これらのデータを変換対象用フォルダあるいは非変換対象フォルダへと格納するタイミングには限られない。例えば、データ処理機器１Ａの制御部は、上述のいずれかの手法によって楽曲データ及び／又はコンテンツデータを予め取得してデータ処理機器１Ａ内の記憶部に記憶させておき、ステップＳ１３で、ユーザの指示に従って当該楽曲データ及び／又はコンテンツデータを変換対象用フォルダあるいは非変換対象フォルダへと格納するようにしてもよい。
【００５４】
また、データ処理機器１Ａ（又は１Ｂ）が楽曲データ等のコンテンツデータに施す変換は上述のものに限られず、データ処理機器１Ａ及び１Ｂがコンテンツデータとして識別でき、且つ、楽曲データプレーヤ２にはコンテンツデータとして識別できないような態様のデータを、楽曲データプレーヤ２が楽曲データとして識別でき、且つ、データ処理機器１Ａ又は１Ｂには楽曲データとして識別できなくなるような態様のデータに変換するような処理であれば任意である。また、データ処理機器１Ａ（又は１Ｂ）は、楽曲データを複製して変換対象フォルダ及び非変換対象フォルダに格納してもよい。
【００５５】
また、変換後の楽曲データのデータ形式は１通りである必要はない。従って、著作権をより強力に保護するため、楽曲データを例えば、複数の楽曲データプレーヤ２のそれぞれに固有のデータ形式に変換するようにしてもよい。
【００５６】
具体的には、例えばそれぞれの楽曲データプレーヤ２に固有のシリアル番号を付与し、一方でデータ処理機器１Ａ（又は１Ｂ）は、自己に接続された楽曲データプレーヤに固有のシリアル番号を使用して、所定のアルゴリズムを用い、楽曲データを、当該楽曲データが当該楽曲データプレーヤにより楽曲データとして識別されることになるような拡張子を有するように変換する。なお、楽曲データプレーヤは、例えば、自己がデータ処理機器１Ａ（又は１Ｂ）に接続されたことを検出して、当該データ処理機器に、自己のシリアル番号を表すデータを送るようにしてもよい。
そして、それぞれの楽曲データプレーヤは、自己のシリアル番号に基づいて生成された拡張子を有する楽曲データのみを再生可能なように構成されていればよい。このように構成されていれば、変換された楽曲データが表す楽曲をデータ処理機器１Ｂを介して他の楽曲データプレーヤで再生しようとしても再生することができないので、より著作権の保護性能が向上する。
【００５７】
また、データ処理機器１Ａ（又は１Ｂ）は、単に拡張子をシリアル番号を用いて生成するだけではなく、楽曲データ内の、拡張子以外の所定の部分に、シリアル番号に基づいて生成されるデータを含めるように変換を行ってもよい。このようにすれば、更に著作権の保護性能が向上する。この場合、楽曲データプレーヤが、楽曲データの当該所定の部分にあるデータが自己のシリアル番号に基づいて作成されているか否かを判別し、自己のシリアル番号に基づいて作成されていると判別した場合のみ、当該楽曲データが表す楽曲を再生するように構成されていれば、拡張子を修正しただけでは他の楽曲データプレーヤで楽曲を再生することができない。
【００５８】
また、楽曲データプレーヤ２がデータ処理機器１Ａ（又は１Ｂ）からコンテンツデータを取得する処理は、データ処理機器１Ａ（又は１Ｂ）側の制御に従って行われてもよい。すなわち、データ処理機器１Ａ（又は１Ｂ）の制御部が、ファイルブラウザ又はその他の所定のプログラムの実行中、ユーザが、データ処理機器１Ａ（又は１Ｂ）の操作入力部を操作して、楽曲データの取得を指示すると、データ処理機器１Ａ（又は１Ｂ）の制御部がこの指示に応答し、データ処理機器１Ａ（又は１Ｂ）及び楽曲データプレーヤ２の各データ入出力部（並びに楽曲データプレーヤ２の制御部）を介して、楽曲データプレーヤ２の記憶部にアクセスし、データ処理機器１Ａの記憶部が記憶するデータのうち、変換対象フォルダ及び非変換対象フォルダに属するものとして記憶されているデータを、楽曲データプレーヤ２の記憶部に記憶させるようにしてもよい。
同様に、データ処理機器１Ａ（又は１Ｂ）が楽曲データプレーヤ２からコンテンツデータを取得する処理は、楽曲データプレーヤ２側の制御に従って行われてもよい。
更に、データ処理機器１Ａ（又は１Ｂ）と楽曲データプレーヤ２との間のコンテンツデータの送受信は、両者が互いに接続されたことを両者の少なくとも一方が検出し、検出した方の装置の制御に従って自動的に行われてもよい。
また、楽曲データプレーヤ２は、変換前のコンテンツデータを必ずしも取得しなくてもよい。
【００５９】
データ処理機器１Ａ及び／又は１Ｂが、楽曲データプレーヤ２のコンテンツ出力部と同様の構成を更に備え、各自の記憶部が記憶するコンテンツデータが表すコンテンツを、ユーザの操作に従って再生するものとしてもよい。ただしこの場合のデータ処理機器１Ａ及び／又は１Ｂは、データ処理機器１Ａ及び１Ｂがコンテンツデータとして識別でき、且つ、楽曲データプレーヤ２にはコンテンツデータとして識別できないような態様のデータが表すコンテンツを再生するものとし、楽曲データプレーヤ２が楽曲データとして識別でき、且つ、データ処理機器１Ａ又は１Ｂには楽曲データとして識別できなくなるような態様のデータが表すコンテンツは再生しないものとする。
【００６０】
また、データ処理機器１Ａ、データ処理機器１Ｂ又は楽曲データプレーヤ２は、いずれも、自らコンテンツデータを作成して記憶するための構成を備えていてもよい。従ってデータ処理機器１Ａ、データ処理機器１Ｂあるいは楽曲データプレーヤ２が、例えば、マイクロホン、ＡＦ増幅器及びＡ／Ｄ（Analog-to-Digital）変換器を備え、当該マイクロホンが集音した音声を表すディジタル形式の音声データをコンテンツデータとして作成して、記憶するものとしてもよい。
【００６１】
以上、この発明の実施の形態を説明したが、この発明にかかるコンテンツデータ処理システム、コンテンツデータ処理装置及びコンテンツ再生装置は、専用のシステムによらず、通常のコンピュータシステムを用いて実現可能である。例えば、相互に接続可能に構成され、少なくともいずれかがコンテンツデータの表すコンテンツを再生するための構成を備えている複数のコンピュータに、それぞれ、上述のデータ処理機器１Ａ、データ処理機器１Ｂ及び楽曲データプレーヤ２のいずれかの動作を実行させるためのプログラムを格納した媒体（ＣＤ−ＲＯＭ、フレキシブルディスク等）からこれらのプログラムをインストールすることにより、上述の処理を実行する楽曲データ転送システムを構成することができる。
【００６２】
また、例えば、通信回線の掲示板（ＢＢＳ）にこれらのプログラムをアップロードし、これを通信回線を介して配信してもよく、また、これらのプログラムを表す信号により搬送波を変調し、得られた変調波を伝送し、この変調波を受信した装置が変調波を復調してこれらのプログラムを復元するようにしてもよい。そして、これらのプログラムを起動し、ＯＳの制御下に、他のアプリケーションプログラムと同様に実行することにより、上述の処理を実行することができる。
【００６３】
なお、ＯＳが処理の一部を分担する場合、あるいは、ＯＳが本願発明の１つの構成要素の一部を構成するような場合には、記録媒体には、その部分を除いたプログラムを格納してもよい。この場合も、この発明では、その記録媒体には、コンピュータが実行する各機能又はステップを実行するためのプログラムが格納されているものとする。
【図面の簡単な説明】
【００６４】
【図１】本発明の実施の形態に係る楽曲データ転送システムの構成を示す図である。
【図２】楽曲データの変換の処理の手順を示すフローチャートである。
【図３】楽曲データプレーヤへの楽曲データの転送及び楽曲の再生の処理の手順を示すフローチャートである。
【図４】データ処理機器への楽曲データの転送の処理の手順を示すフローチャートである。
【符号の説明】
【００６５】
１Ａ、１Ｂ      データ処理機器
２              楽曲データプレーヤ
【図１】
2006228086.tif 000003
【図２】
2006228086.tif 000004
【図３】
2006228086.tif 000005
【図４】
2006228086.tif 000006